(57)【要約】【課題】建物の通気性と気密性を長期に維持するため、故障や開閉動作不良の問題が少ない床下換気装置を提供する。又、該装置の設置により気密性を長期に維持しうる通気住宅を提供する。【解決手段】自動開閉機構を備えた断熱・気密型換気装置において、開閉ダンパーが完全に閉鎖する寸前に隙間を保つようにして、風力や場合によっては衝撃により開閉ダンパーに付着した微小なホコリ等を除去可能な構造とする。又、該床下換気装置を通気住宅の床下換気口に設置することにより、建物の気密性が低下しにくい構造となる。【選択図】  図１
2004156841.tif 000002
【特許請求の範囲】
【請求項１】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建築物において、床下換気部に設置され、自動開閉機構を備えた断熱・気密型換気装置であって、開閉ダンパーの開閉速度が変更可能であるか、又は開閉中に一時停止する機能を有する床下換気装置。
【請求項２】
自動開閉機構が開閉ダンパーを有し、該ダンパーが遠隔操作できることを特徴とする請求項１に記載の床下換気装置。
【請求項３】
断熱性を有する開閉ダンパーを設けたことを特徴とする請求項１又は２に記載の床下換気装置。
【請求項４】
換気装置本体の内側で開閉ダンパーが取り付けられる開口部と、開閉ダンパーの少なくともいずれか一方には、開口部の周囲に沿って気密部材が設けられていることを特徴とする請求項１〜３のいずれか一項に記載の床下換気装置。
【請求項５】
請求項１〜４のいずれか一項に記載の換気装置を設置したことを特徴とする通気住宅。
【請求項６】
請求項１〜５のいずれか一項に記載の換気装置及び、小屋裏空間に強制換気装置を設置したことを特徴とする通気住宅。
【発明の詳細な説明】
【０００１】
【発明の属する技術分野】
本発明は、開閉機構に砂や土等のホコリが蓄積しにくい構造を備えた床下に設置する断熱・気密型換気装置、及びそれを設置することを特徴とする通気住宅に関する。
【０００２】
【従来の技術】
日本の高温多湿な気候では、一般的に、外気に開放した床下換気口を基礎に複数設けて床下の換気を行い、家屋の腐朽等を防止する。しかし、冬季においては、建築物内部の防熱のため、冷たい外気の屋内への流入を防止する開閉機構を設けた床下換気装置が提供されている。そして開閉機構を設けた床下換気装置に堆積したホコリ等を装置外に排出する手段が示されている。（例えば特許文献１参照）
また、省エネルギー性や快適性に配慮した住環境をつくるために、建築物の断熱性及び気密性を向上させた高断熱・高気密化建築物が開発され、さらに快適性を高めるため、躯体内に通気層を設け、床下空間と小屋裏空間を連通させた建築物が提供されている。（例えば特許文献２参照）
【０００３】
【特許文献１】特開平１０−２３８８２９号公報（第１図）
【０００４】
【特許文献２】特開平１０−４６６９４号公報（第１図〜第６図）
【０００５】
【発明が解決しようとする課題】
ケーシング内の開閉機構等に付着し、ケーシングに堆積したホコリを装置外に排出する床下換気装置を、通気住宅に設置した場合、床下換気装置がホコリの蓄積により動作不良を起こすと、建物の通気性や気密性の低下を引き起こす場合がある。
【０００６】
そこで、ホコリが開閉機構に蓄積しにくい構造の床下換気装置を提供すること、また、該床下換気装置を設置することにより、気密性を長期にわたって良好に維持しうる通気住宅を提供することである。
【０００７】
【課題を解決するための手段】
本発明の床下換気装置は、請求項１においては、屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建物において、床下換気部に設置され、自動開閉機構を備えた断熱・気密型換気装置であって、開閉ダンパーの開閉速度が変更可能であるか、又は開閉中に一時停止する機能を有することを特徴とする床下換気装置である。
【０００８】
請求項２においては、自動開閉機構が開閉ダンパーを有し、該ダンパーが遠隔操作できることを特徴とする請求項１に記載の床下換気装置である。
【０００９】
請求項３においては、断熱性を有する開閉ダンパーを設けたことを特徴とする請求項１、又は２に記載の床下換気装置である。
【００１０】
請求項４においては、換気装置本体の内側で開閉ダンパーが取り付けられる開口部と、開閉ダンパーの少なくともいずれか一方には、開口部の周囲に沿って気密部材が設けられていることを特徴とする請求項１から３のいずれか一項に記載の床下換気装置である。
【００１１】
請求項５においては、請求項１から４のいずれか一項に記載の換気装置を設置したことを特徴とする通気住宅である。
【００１２】
請求項６においては、請求項１から５のいずれか一項に記載の換気装置及び、小屋裏換気部に強制換気装置を設置したことを特徴とする通気住宅である。
【００１３】
【発明の実施の形態】
【００１４】
【実施例】
本発明の実施の形態を以下図面に基づいて説明する。
【００１５】
図１は、本発明の換気装置の開閉ダンパーの実施形態を示している。
【００１６】
図１に示すように、床下換気装置３には外形を形成する換気装置本体５と、その外周には断熱材層４が設けられ、換気装置本体５の内部に開閉ダンパー７が設けられている。
【００１７】
開閉ダンパー７は、換気装置本体５の内寸よりわずかに外寸が小さく、通常は、換気装置本体５の鉛直断面と同形状のダンパー体４０を備えている。例えば、換気装置本体の鉛直断面が円形の場合は、ダンパー体４０の正面形状は円形であり、換気装置本体の縦断面が矩形の場合は、ダンパー体４０の正面形状も矩形であるのが一般的であるが、特にこれに限定されるものではなく、外形と異なる形状であっても差し支えない。
【００１８】
このダンパー体４０は、換気装置本体５の側部に付設した開閉駆動装置に接続した回転軸４１を介して、換気装置本体５内部で回動して、開口部６０を開閉できるように軸支されている。破線は開状態を示す。ダンパー体４０を実線で示した閉止位置とこの閉止位置から略９０度回動した開放位置の間で移動させ、これによって空気経路を開閉できるようになっている。
【００１９】
なお、これらの換気装置本体５、開閉ダンパー７は、金属製、プラスチック製のものが用いられる。金属としては、例えば、ＳＵＳ３０４などのステンレス鋼、アルミなどの金属製が例示でき、プラスチックとしては、例えば、ＡＢＳ、塩化ビニル、ポリエチレン、ポリプロピレンなどの合成樹脂が例示できる。
【００２０】
この開閉ダンパー７は閉鎖時の速度変化が可能であるか、或いは一時停止することが可能である。例えば、駆動装置を電動回転機とする場合、電動回転機の回転軸、または回転軸につながるギアの回転を制御する方法がある。回転速度変化をより安価で容易に行うためには、図２−１や図２−２に示すように、換気装置本体内部に引掛り７０を設け、引掛り７０により開閉ダンパーの開閉速度を落とすか、或いは一時停止させることが可能である。このようにして、開閉ダンパーが完全に閉鎖する寸前に開閉ダンパーと開口部６０との隙間を保持することにより、通過する空気の速度が上がること、また、引っかかり部をダンパー部が通過する際の開閉速度の緩急や閉まる際の衝撃により、開口部６０付近、又はダンパー体４０、或いはそれらに取り付けた気密部材５１に付着した微小なホコリを取り除くことが可能になる。よって、ホコリ等が堆積しにくくなり、開閉ダンパーの密閉性を維持することが可能となる。
【００２１】
また、本床下換気装置に防火性を持たせるため、開閉ダンパー７は防火シャッターを兼ねることもできる。その場合、開閉ダンパー７と換気装置本体５は金属製あるいは難燃性のプラスチックが用いられ、火災による温度や煙を感知する装置と連動させて開閉ダンパー７が閉鎖する構造とすることが可能である。また、換気装置本体５内部やカバー６に耐火性の熱膨張部材を設け、火災発生時には熱膨張部材の膨張によって通気路を遮断することも可能である。特に、開口部６０の周辺に沿って設け、シール材として使用すると防火性が高く有効である。熱膨張部材は、セラミックファイバー系やゴム系が例示でき、形状はシート状、テープ状、パテ状のものが用いられる態様として例示できる。
【００２２】
換気装置本体の外側は断熱材で囲繞されていることが好ましく、ダンパー体４０の少なくとも片面に断熱材層５１が形成されていると、開閉ダンパーを閉じて通風換気が停止した際、たとえ冬場であっても断熱性が低下しにくく、ダンパー体４０の結露の発生防止の点で好ましい。
【００２３】
断熱材層５１は特に限定はないが、具体的には発泡ポリスチレン、発泡ポリウレタン、発泡ポリプロピレンなどの合成発泡樹脂が例示でき、合成樹脂発泡板あるいは該発泡板を貼着してもよい。その他に、無機充填材を含有する塩化ビニル系樹脂又は塩素化塩化ビニル系樹脂を主成分とする発泡体からなる準不燃性以上の材料で構成される断熱材であってもよい。この場合には、断熱性能のみならず、耐火性能、軽量性にも優れる利点がある。さらに他の断熱材としては、例えば、アクリル樹脂、塩素化ビニル、フェノール樹脂などから形成された断熱材であってもよい。要は断熱性能を有する合成樹脂であればよく、材質は限定されない。また、その発泡倍率は特に限定されるものではないが、１０〜６０倍、好ましくは１５〜４０倍程度が好ましい。さらに、このような合成樹脂発泡板に限らず、グラスウール、ロックウール等を板状に形成した繊維系の断熱材でも使用可能である。
【００２４】
前記開閉ダンパーが取り付けられる開口部６０とダンパー体４０の少なくともいずれか一方には開口部の周辺に沿って気密性部材５２が設けられていると、開閉ダンパーを閉じて通風換気が停止した際、たとえ冬場であっても気密性が向上し、熱損失防止の効果が期待できる。この場合、気密性部材としては、弾力性及び粘着性を持ったシーリングテープであるのが好ましい。その一例として、独立気泡よりなる軟質塩化ビニル発泡体を基材とし、片面に粘着材と剥離紙とがついたテープがあり、具体的には鐘淵化学工業（株）の商品名「バンシール」が利用可能である。
【００２５】
開閉ダンパー７の回転軸４１は、図１では水平方向に設置しているが、鉛直方向に設置してもよく、特に設置方向にこだわらない。円形の場合、回転軸は開口の中央に設けることが好ましい。矩形の場合は、回転軸は開口の中央に限らず、矩形の一辺に偏る態様も可能であり、ダンパー体の回転軸は換気装置本体５の外装あるいは外装部分付近に取り付けられることも可能である。開口部分の偏りを少なくするためには、中央に設けることが望ましい。
【００２６】
本換気装置の開閉ダンパーの開閉は、遠隔操作によって行うことができ、屋外に出て各々の換気装置の設置場所で開閉する煩雑な作業を省力化できるようになる。特に限定するものではないが、本換気装置の開閉ダンパーの開閉駆動装置を、例えば電動式にすることによって遠隔操作が可能である。あるいは、家屋の一箇所に設けた操作位置から基礎の床下に設置した本発明の換気装置に至るまで、ダンパーの回転軸４１を回転させる操作用ワイヤーを張ることによって遠隔操作も可能である。
【００２７】
また、開閉駆動装置に温度、湿度、気象に関するセンサーやタイマーを接続し、自動開閉するように構成すると、季節や室内外の温湿度条件に応じ、開閉ダンパーの動作を確実に行うことも可能である。
【００２８】
図３は本発明の床下換気装置３の外観斜視図である。床下換気装置３には外気の取り入れ側に通気可能で、かつ取り外し可能なカバー６を備えている。カバー６は防虫、防鼠の用をなすことができる。金属製、プラスチック製の網、又はパンチングメタル等の通気可能なものであり、網の目開きは３ミリ以下が好ましい。それに加えてカバー部に防塵用のフィルターを設けてもよい。
【００２９】
図３において床下換気装置３は断面が円形である円筒形を想定しているが、円形に限らず、楕円形、矩形でもよい。円形の場合は、基礎立ち上がり部の構造耐力上の欠損となりにくいので好ましい。楕円形、矩形の場合、横長にすることにより基礎開口面積を確保しやすく換気装置１個あたりの通気量を多くすることができる。
【００３０】
上記のような床下換気装置３は、通気住宅に設置することができる。図４は、床下換気装置３を設置することを特徴とする通気住宅の一例を示す概略断面図である。該通気住宅は、断熱材８２が建物全体に張り巡らされており、外装材８４及び屋根材８５の内側に外側通気層９０が形成されている。また、この断熱材８２の内側には、小屋裏空間８６及び床下空間８７と連通して各部屋８８を包括的に囲む内側通気層８９が形成されている。また、外気と床下空間８７とは開閉可能な床下換気口２で適宜連通し、外気と小屋裏空間８６とは棟下近傍で開閉可能な棟下換気口９１により適宜連通する。そして、床下換気口２及び棟下換気口９１をそれぞれ床下開閉ダンパー７及び棟下開閉ダンパー９２により開口させた場合には、床下換気口２から取り入れた空気を、内側通気層８９を通して棟下換気口９１から外部へ排出するように構成して、建築物内の通気性を向上させている。
【００３１】
なお、棟下換気口は小屋裏空間８６の外壁に設けても、同様に建築物内の通気性を向上させることができる。
【００３２】
本発明の床下換気装置３を床下換気口２にかえて設置することにより、容易に開閉が出来、気候条件に適した開閉制御が可能になる。さらに、ホコリがたまることによる自動開閉機構の故障や開閉動作不良の減少により、建築物の気密性を長期に維持することが可能となる。このような通気住宅に棟下換気口にファン等の強制換気装置を設けた場合、換気能力を向上、安定の面で好ましい。
【００３３】
【発明の効果】
本発明によれば、開閉ダンパーが完全に閉鎖する寸前に隙間を保つことにより、開閉ダンパーを通過する風速が上がり、場合によってはダンパーの閉まる際の衝撃により微小なホコリ等の堆積防止あるいは堆積したホコリを除去することができる。それゆえ、ホコリ等が開閉機構に堆積することによって生ずる故障や開閉動作不良を起こすことが少なく、長期に気密性を保つことが可能である。また、制御や遠隔操作を容易に行うことができ、メンテナンスの手間を軽減することが可能である。この床下換気装置を設置した通気住宅においては、床下換気装置の故障や開閉動作不良の減少により、長期にわたって気密性を維持することが可能となる。
【図面の簡単な説明】
【図１】開閉ダンパーの断面図。
【図２】開閉ダンパーの閉じる寸前の状態を示す断面図（図２−１）、開閉ダンパーの閉状態を示す断面図（図２−２）。
【図３】床下換気装置の外観斜視図。
【図４】本発明の床下換気装置を設置した通気住宅の一例を示す概略断面図。
【符号の説明】
１      基礎
２      床下換気口
３      床下換気装置
４      断熱材層
５      換気装置本体
６      カバー
７      開閉ダンパー
３０    駆動装置ボックス
４０    ダンパー体
４１    回転軸
５１    断熱材層
５２    気密部材
６０    開口部
７０    引掛り
８０    土台
８２    断熱材
８３    建築物
８４    外装材
８５    屋根材
８６    小屋裏空間
８７    床下空間
８８    各部屋
８９    内側通気層
９０    外側通気層
９１    棟下換気口
９２    棟下開閉ダンパー
【図１】
2004156841.tif 000003
【図２】
2004156841.tif 000004
【図３】
2004156841.tif 000005
【図４】
2004156841.tif 000006